(57)【要約】【課題】本発明は、送信電力制御装置に関し、送信電力制御の精度と応答性との双方が高く維持されることを目的とする。【解決手段】上りのスロットに含まれる既定のシンボルの列の伝送品質を求める伝送品質取得手段と、下りのリンクを介して無線局宛に送信され、この無線局が後続する上りのスロットが送信されるべき送信電力を示し、かつ伝送品質の偏差が軽減される操作量を生成する操作量生成手段とを備え、伝送品質取得手段は、下りのスロットの幅Ｔｓｌｏｔ  と、無線伝送路の往復の伝搬所要時間τｐｄと、操作量の生成に要する処理遅延時間Ｔｄ  と、既定のシンボルの列が下りのスロットの先頭に遅れて到来するオフセット時間Ｔｏｆｆｓｅｔと、シンボルの幅Ｔｓ  とに対して上りのスロット毎に、既定のシンボルの列のＮｍａｘ（≦（Ｔｓｌｏｔ−τｐｄ−Ｔｄ−Ｔｏｆｆｓｅｔ）／Ｔｓ）番目の以前のシンボルの伝送品質を求めることによって構成される。【選択図】      図１
2004336295.tif 000002
【特許請求の範囲】
【請求項１】
無線伝送路を介して到来し、かつ既定のシンボルの列を含む上りのスロットの列を受信し、これらのシンボルの列の伝送品質を求める伝送品質取得手段と、
前記上りのスロットに後続する下りのスロットの先頭に配置されて前記無線伝送路の下りのリンクを介して無線局宛に送信されると共に、その無線局によってこの上りのスロットに後続する上りのスロットが送信されるべき送信電力を示し、かつ前記伝送品質の偏差が軽減される操作量を生成する操作量生成手段とを備え、
前記伝送品質取得手段は、
前記下りのスロットの幅Ｔｓｌｏｔ  と、前記無線伝送路の往復の伝搬所要時間τｐｄと、前記操作量生成手段が前記伝送品質に応じて前記操作量を生成するために要する処理遅延時間Ｔｄ  と、前記既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、前記既定のシンボルの列に含まれるＮｍａｘ（≦（Ｔｓｌｏｔ−τｐｄ−Ｔｄ−Ｔｏｆｆｓｅｔ）／Ｔｓ）番目のシンボル、またはそのシンボル以前に受信された複数のシンボルに基づいてその伝送品質を求める
ことを特徴とする送信電力制御装置。
【請求項２】
無線伝送路を介して到来し、かつ既定のシンボルの列を含む上りのスロットの列を受信し、これらのシンボルの列の伝送品質を求める伝送品質取得手段と、
前記上りのスロットに後続する下りのスロットに配置されて前記無線伝送路の下りのリンクを介して無線局宛に送信されると共に、その無線局によってこの上りのスロットに後続する上りのスロットが送信されるべき送信電力を示し、かつ前記伝送品質の偏差が軽減される操作量を生成する操作量生成手段とを備え、
前記伝送品質取得手段は、
前記下りのスロットの幅Ｔｓｌｏｔ  と、その下りのスロットに前記操作量に先行して配置されたフィールドの幅Ｔｄａｔａ１  と、前記無線伝送路の往復の伝搬所要時間τｐｄと、前記操作量生成手段が前記伝送品質に応じて前記操作量を生成するために要する処理遅延時間Ｔｄ  と、前記既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、前記既定のシンボルの列に含まれるＮｍａｘ  （≦（Ｔｓｌｏｔ＋Ｔｄａｔａ１−τｐｄ−Ｔｄ−Ｔｏｆｆｓｅｔ）／Ｔｓ）  番目のシンボル、またはそのシンボル以前に受信された複数のシンボルに基づいてその伝送品質を求める
ことを特徴とする送信電力制御装置。
【請求項３】
請求項２に記載の送信電力制御装置において、
前記伝送品質取得手段は、
前記Ｎｍａｘ  番目のシンボルと、そのシンボルに先行する単一または複数のシンボルとの個々の伝送品質と、時系列の降順に小さく設定された重みの列との積和として、これらのシンボルの伝送品質を求める
ことを特徴とする送信電力制御装置。
【請求項４】
請求項２に記載の送信電力制御装置において、
前記伝送品質取得手段は、
前記無線伝送路にマルチパスとして並行して形成されたパス毎に、前記Ｎｍａｘ  番目のシンボルまたは、またはそのシンボル以前に受信されたシンボルの伝送品質の平均値としてこれらのシンボルの伝送品質を求める
ことを特徴とする送信電力制御装置。
【請求項５】
請求項２ないし請求項４の何れか１項に記載の送信電力制御装置において、
前記後続する下りのスロットに配置されて前記無線伝送路の下りのリンクを介して前記無線局宛に送信され、かつ前記Ｎｍａｘ  が小さいほど大きく、この無線局によって前記上りのスロットに後続する上りのスロットに含まれる既定のシンボルの列が送信されるべき送信電力を示す副操作量を生成する副操作量生成手段を備え、
前記伝送品質取得手段は、
前記無線伝送路を介して到来した上りのスロットに含まれ、かつ前記副操作量に基づいて送信電力が設定された既定のシンボルの列について、その副操作量に応じて生じた誤差の補正を前記求められた伝送品質に施し、その結果を前記操作量生成手段に引き渡す
ことを特徴とする送信電力制御装置。
【発明の詳細な説明】
【０００１】
【発明の属する技術分野】
本発明は、無線伝送系において、自局に到来した無線周波信号の送信端に送信され、その無線周波信号の伝送品質の偏差が軽減される送信電力の要求を生成することを要求する送信電力制御装置に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ  ：  符号分割多重アクセス）方式は、本来的に耐干渉性および秘匿性が高く、かつ無線周波数の効率的な利用が可能であり、しかも「遠近問題」を解決する技術が確立したために、移動通信システムその他の無線伝送系や無線通信系に積極的に適用されている。
また、このような遠近問題を解決するために適用される送信電力制御の過程では、例えば、無線基地局と端末との連係の下で両者の送信電力を適正な値に維持するフィードバック制御が行われ、かつ無線伝送路の特性の広範に亘る変動に起因する伝送品質の劣化の軽減が図られる。
【０００３】
図７は、端末と連係して送信電力制御を行う無線基地局の構成例を示す図である。
図において、アンテナ３１Ｒの給電点は受信部３２の入力に接続され、その受信部３２の一方の復調出力には上りの伝送情報が出力される。送信部３３の変調入力には上りの伝送情報が与えられ、その送信部３３の出力はアンテナ３１Ｔの給電点に接続される。受信部３２の第一および第二のコマンド出力は、それそれ送信部３３の第一および第二のコマンド入力に接続される。
【０００４】
受信部３２は、下記の要素から構成される。
・  上述したアンテナ３１Ｒの給電点に縦続接続された受信処理部４１、逆拡散部４２および同期検波部４３
・  その同期検波部４３の後段として配置され、かつ上述した「上りの伝送情報」を出力する第一の出力と、既述の第一のコマンド出力に該当する第二の出力とを有する復号化部４４
・  この復号化部４４と共に同期検波部４３の後段に配置された受信品質測定部４５
・  その受信品質測定部４５に縦続接続され、かつ既述の第二のコマンド出力に該当する出力を有するコマンド生成部４６
送信部３３は、下記の要素から構成される。
【０００５】
・  上述した「下りの伝送情報」が入力される符号化部４７
・  その符号化部４７に縦続接続され、かつ既述の第一および第二のコマンド入力に該当する２つの入力を有するフレーム生成部４８
・  このフレーム生成部４８に縦続接続された拡散部４９
・  その拡散部４９に縦続接続され、出力がアンテナ３１Ｔの給電点に接続された送信処理部５０
このような構成の無線基地局では、受信処理部４１は、図示されない端末からアンテナ３１Ｒに到来した受信波を周波数変換することによってベースバンド信号を生成する。
【０００６】
なお、このような受信波には、例えば、時系列の順に連なる１５個のスロットからなるフレームの列に応じて一定のシンボルレートで変調（ＢＰＳＫ）され、かつＩ軸上とＱ軸上とに直交多重化された２つの物理的なチャネルＤＰＤＣＨ（Ｄｅｄｉｃａｔｅｄ  Ｐｈｙｓｉｃａｌ  Ｄａｔａ  Ｃｈａｎｎｅｌ）、ＤＰＣＣＨ（Ｄｅｄｉｃａｔｅｄ  Ｐｈｙｓｉｃａｌ  Ｃｏｎｔｒｏ１  Ｃｈａｎｎｅ１）を介して並行して到来した信号の成分が含まれる。また、これらのチャネルＤＰＤＣＨ、ＤＰＣＣＨについては、以下では、簡単のため、単に「上りＤＰＤＣＨ」、「上りＤＰＣＣＨ」と称する。
【０００７】
逆拡散部４２は、そのベースバンド信号と既定の拡散符号（ここでは、簡単のため、自局、または「上記の受信波の送信端に該当する端末」との何れかにチャネル制御の下で予め割り付けられると仮定する。）との乗算として逆拡散処理を行うことによって、その端末によって受信波として送信された伝送情報を示す復調信号を出力する。同期検波部４３は、その復調信号を同期検波することによって、端末とアンテナ３１Ｒとの間に形成された無線伝送路で生じた位相の変動分が除去された検波信号を出力する。
【０００８】
受信品質測定部４５は、上述した上りＤＰＣＣＨを介して受信されるべきフレームやスロットの形式（ここでは、簡単のため、チャネル制御の下で確実に特定され、かつ既知であると仮定する。）の下で、その検波信号の成分の内、上りＤＰＣＣＨを介して受信されたパイロット信号に該当する全てのシンボルと、このパイロット信号がとるべき既知の標準シンボルの列との相関をとることによって、伝送品質（ＳＩＲ：Ｓｉｇｎａｌ  ｔｏ  Ｉｎｔｅｒｆｅｒｅｎｃｅ  Ｒａｔｉｏ）を測定する。
【０００９】
復号化部４４は、上述した検波信号の成分の内、ＤＰＣＣＨを介して受信された成分に「既定の変調方式に基づく信号判定その他の処理」を施すことによって「上りの伝送情報」を復元し、かつ既述のフレームやスロットの構成に基づいて、その伝送情報に内挿されているＴＰＣコマンド（以下、「受信ＴＰＣコマンド」という。）を抽出する。
【００１０】
コマンド生成部４６は、上述した伝送品質と既定の閾値とを比較し、その比較の結果に応じて下記の論理値の「送信ＴＰＣコマンド」を生成する。
・  伝送品質が閾値未満である場合には、端末に所定の値に亘って送信電力を増加すべきことを意味する論理値（＝１）
・  伝送品質が閾値以上である場合には、端末に所定の値に亘って送信電力を減少させるべきことを意味する論理値（＝０）
一方、送信部３３では、符号化部４７およびフレーム生成部４８は、連係し、かつ上述した「下りの伝送情報」と「送信ＴＰＣコマンド」とに応じて、復号化部４４、受信品質測定部４５およびコマンド生成部４６によって行われる既述の処理と反対の処理をベースバンド領域で行うことによって、被変調信号を生成する。
【００１１】
なお、このような処理の過程では、端末宛に送信されるべき個々のスロット（以下、「下りスロット」という。）に対する「送信ＴＰＣコマンド」の内挿に併せて、既述の受信ＴＰＣコマンドの論理値に応じた「スロット毎の送信電力」の増減が行われる。
さらに、上述した被変調信号には、例えば、時系列の順に連なる１５個のスロットからなるフレームの列に応じて一定のシンボルレートで変調（ＱＰＳＫ）され、かつ端末宛に、時分割多重化された２つの物理的なチャネルＤＰＤＣＨ（Ｄｅｄｉｃａｔｅｄ  Ｐｈｙｓｉｃａｌ  Ｄａｔａ  Ｃｈａｎｎｅｌ）、ＤＰＣＣＨ（Ｄｅｄｉｃａｔｅｄ  Ｐｈｙｓｉｃａｌ  Ｃｏｎｔｒｏ１  Ｃｈａｎｎｅ１）を介して並行して送信されるべき信号の成分が含まれる。以下では、これらのチャネルＤＰＤＣＨ、ＤＰＣＣＨについては、簡単のため、単に「下りＤＰＤＣＨ」、「下りＤＰＣＣＨ」と称する。
【００１２】
拡散部４９は、上述した被変調信号に既定の拡散信号（ここでは、簡単のため、既述の端末または自局の何れかにチャネル制御の下で予め割り付けられると仮定する。）を乗じることによって、拡散信号を生成する。
送信処理部５０は、その拡散信号を周波数変換することによって送信波を生成し、かつアンテナ３１Ｔを介して端末宛にその送信波を送信する。
【００１３】
また、既述の通りに各部によって行われる処理は、チャネル制御の下で異なる拡散符号が個別に割り付けられ、かつ無線基地局との間に同時に無線伝送路を形成すべき複数の端末の何れについても、並行して同様に行われる。
さらに、これらの端末では、「受信ＴＰＣコマンド」の生成および更新に併せて、その端末に無線基地局から到来した無線周波数信号の伝送品質に基づいて既述の「送信ＴＰＣコマンド」の生成および送信が同様に行われる。
【００１４】
したがって、このような従来例では、無線基地局との相対距離が短く、かつ受信品質測定部４５およびコマンド生成部４６の応答が十分に高速である限り、個々の上りのスロットに配置されたパイロット信号に基づいて更新された「送信ＴＰＣコマンド」は、その上りのスロットに後続して送信される直近の「下りのスロット」に配置されることによって端末に引き渡され、その端末よって後続する「上りＤＰＤＣＨ」および「上りＤＰＣＣＨ」に対して送信が行われるべき送信電力の更新に供される。
【００１５】
【特許文献１】
特開２０００−３４１２１２号公報（要約、請求項１、段落０００２、０００４、０００６、００１７、００１８）
【特許文献２】
特開平１０−１４５２９３号公報（要約、請求項１、段落００２６、００２９〜００３２）
【特許文献３】
特開２００２−９４４８５号公報（要約、請求項１）
【００１６】
【発明が解決しようとする課題】
ところで、上述した従来例では、「送信ＴＰＣコマンド」は、端末に提供されるべきサービスの形態に応じて、上りＤＰＣＣＨを介して端末から受信される上りスロットに配置されたパイロット信号その他の情報のフィールド長が変化しても、先行して受信された上りスロットに含まれるパイロット信号を示す全てのシンボル（図８（１）、図９（１））が参照されることによって生成されていた（図８（２）、図９（２））。
【００１７】
したがって、そのスロットの送信元である端末との相対距離が長い場合（図８（３）、（４））には、受信品質測定部４５およびコマンド生成部４６の応答が高速であっても、「送信ＴＰＣコマンド」は、既述の「直近の下りのスロット」に後続する「下りのスロット」（図９（５））を介して端末に引き渡される可能性があった。
さらに、このような場合には、送信電力制御の速度だけではなく精度が低下し、しかも、特に、これらの無線基地局と端末との間に形成された無線伝送路の伝送特性が急激に、あるいは広範に変動する状態では、伝送品質に併せて、総合的なサービス品質が著しく劣化する可能性があった。
【００１８】
なお、これらの伝送品質およびサービス品質の劣化は、例えば、上述したパイロットを構成するシンボルの一部のみに基づいて評価された伝送品質に基づいて「送信ＴＰＣコマンド」が生成されることによって、解消され得る。
しかし、このような伝送品質は、従来例において参照されていたシンボルの数より少ないシンボルに基づいて評価されるために、「送信ＴＰＣコマンド」の精度が一様に低下する可能性があった。
【００１９】
本発明は、無線伝送路の伝搬所要時間と、送信電力制御にかかわる処理に要する時間との広範な値と、これらの値の急激な変動とに柔軟に適応し、かつ精度と応答性との双方が高く維持される送信電力制御装置を提供することを目的とする。
【００２０】
【課題を解決するための手段】
請求項１に記載の発明では、伝送品質取得手段は、無線伝送路を介して到来し、かつ既定のシンボルの列を含む上りのスロットの列を受信し、これらのシンボルの列の伝送品質を求める。操作量生成手段は、上りスロットに後続する下りのスロットの先頭に配置されて無線伝送路の下りのリンクを介して無線局宛に送信されると共に、その無線局によってこの上りのスロットに後続する上りのスロットが送信されるべき送信電力を示し、かつ伝送品質の偏差が軽減される操作量を生成する。伝送品質取得手段は、下りのスロットの幅Ｔｓｌｏｔ  と、無線伝送路の往復の伝搬所要時間τｐｄと、操作量生成手段が伝送品質に応じて操作量を生成するために要する処理遅延時間Ｔｄ  と、既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、既定のシンボルの列に含まれるＮｍａｘ（≦（Ｔｓｌｏｔ−τｐｄ−Ｔｄ−Ｔｏｆｆｓｅｔ）／Ｔｓ）番目のシンボル、またはそのシンボル以前に受信された複数のシンボルに基づいてその伝送品質を求める。
【００２１】
すなわち、上述した伝送品質の偏差が軽減されるために、無線局によって後続する上りスロットが送信されるべき送信電力を示す操作量は、その上りのスロットに先行して受信された上りのスロットに配置された既述の既定のシンボルの列に含まれるシンボルの内、その操作量が直近の後続する下りのスロットを介してこの無線局宛に確実に送信されることが保証される最大の順位のシンボルの伝送品質、またはそのシンボルとこのシンボルに先行して受信されたシンボルとの伝送品質に基づいて更新される。
【００２２】
したがって、上述した無線局との相対距離と、その無線局との間に形成された無線伝送路の特性との双方もしくは何れか一方が広範に変化し、またはこの無線局に提供されるべきサービスの形態に応じて上りのスロットや下りのスロットの構成と、これらのスロットの伝送に適用される変調方式との何れが変更され得る場合であっても、送信電力制御の応答性および精度が高く維持される。
【００２３】
請求項２に記載の発明では、伝送品質取得手段は、無線伝送路を介して到来し、かつ既定のシンボルの列を含む上りのスロットの列を受信し、これらのシンボルの列の伝送品質を求める。操作量生成手段は、上りスロットに後続する下りのスロットに配置されて無線伝送路の下りのリンクを介して無線局宛に送信されると共に、その無線局によってこの上りのスロットに後続する上りのスロットが送信されるべき送信電力を示し、かつ伝送品質の偏差が軽減される操作量を生成する。伝送品質取得手段は、下りのスロットの幅Ｔｓｌｏｔ  と、その下りのスロットに操作量に先行して配置されたフィールドの幅Ｔｄａｔａ１  と、無線伝送路の往復の伝搬所要時間τｐｄと、操作量生成手段が伝送品質に応じて操作量を生成するために要する処理遅延時間Ｔｄ  と、既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、既定のシンボルの列に含まれるＮｍａｘ  （≦（Ｔｓｌｏｔ＋Ｔｄａｔａ１−τｐｄ−Ｔｄ−Ｔｏｆｆｓｅｔ）／Ｔｓ）  番目のシンボル、またはそのシンボル以前に受信された複数のシンボルに基づいてその伝送品質を求める。
【００２４】
すなわち、上述した伝送品質の偏差が軽減されるために、無線局によって後続する上りのスロットが送信されるべき送信電力を示す操作量は、下りのスロットにその操作量に先行して何らかのフィールドが配置される場合であっても、そのフィールドの幅Ｔｄａｔａ１  が既知である限り、この上りのスロットに先行して受信された上りのスロットに配置された既述の既定のシンボルの列に含まれるシンボルの内、その操作量が直近の後続する下りのスロットを介してこの無線局宛に確実に送信されることが保証される最大の順位のシンボルの伝送品質、またはそのシンボルとこのシンボルに先行して受信されたシンボルとの伝送品質に基づいて更新される。
【００２５】
したがって、上述した無線局との相対距離と、その無線局との間に形成された無線伝送路の特性との双方もしくは何れか一方が広範に変化し、またはこの無線局に提供されるべきサービスの形態に応じて上りのスロットや下りのスロットの構成と、これらのスロットの伝送に適用される変調方式との何れが変更され得る場合であっても、送信電力制御の応答性および精度が高く維持される。
【００２６】
請求項３に記載の発明では、伝送品質取得手段は、Ｎｍａｘ  番目のシンボルと、そのシンボルに先行する単一または複数のシンボルとの個々の伝送品質と、時系列の降順に小さく設定された重みの列との積和として、これらのシンボルの伝送品質を求める。
すなわち、このような伝送品質は、下りのスロットの幅Ｔｓｌｏｔ  と、その下りのスロットに操作量に先行して配置されたフィールドの幅Ｔｄａｔａ１  との双方もしくは何れか一方が小さく、あるいは無線伝送路の往復の伝搬所要時間τｐｄと、既述の処理遅延時間Ｔｄ  と、オフセット時間Ｔｏｆｆｓｅｔと、シンボルの幅Ｔｓ  との全てまたは一部が大きいために、上述シンボルの順位Ｎｍａｘ  が小さな値となる場合であっても、Ｎｍａｘ  番目のシンボルに先行するシンボルの伝送品質が反映されることによって、精度よく求められる。
【００２７】
したがって、下りのスロットと上りのスロットとの多様な構成に対する柔軟な適応が可能となる。
請求項４に記載の発明では、伝送品質取得手段は、無線伝送路にマルチパスとして並行して形成されたパス毎に、Ｎｍａｘ  番目のシンボルまたは、またはそのシンボル以前に受信されたシンボルの伝送品質の平均値としてこれらのシンボルの伝送品質を求める。
【００２８】
すなわち、無線伝送路がマルチパスとして形成される場合であっても、伝送品質は、これらのマルチパスとして構成された個々のパスについて個別に求められた伝送品質が平滑化されることによって与えられる。
したがって、無線伝送路の実体的な特性およびその特性の変動に対する柔軟な適応の下で、送信電力制御の精度および応答性が高く維持される。
【００２９】
請求項５に記載の発明では、副操作量生成手段は、後続する下りのスロットに配置されて無線伝送路の下りのリンクを介して無線局宛に送信され、かつＮｍａｘ  が小さいほど大きく、この無線局によって上りのスロットに後続する上りのスロットに含まれる既定のシンボルの列が送信されるべき送信電力を示す副操作量を生成する。伝送品質取得手段は、無線伝送路を介して到来した上りのスロットに含まれ、かつ副操作量に基づいて送信電力が設定された既定のシンボルの列について、その副操作量に応じて生じた誤差の補正を求められた伝送品質に施し、その結果を操作量生成手段に引き渡す。
【００３０】
すなわち、先行して無線局宛に送信された操作量に応じてその無線局から送信された上りのスロットに含まれる「既定のシンボルの列」は、その操作量の生成に際して適用されたＮｍａｘ  が小さいほど、大きなレベルで受信される。
したがって、無線伝送路の特性が広範に、かつ頻繁に変動し、あるいはＮｍａｘ  が著しく小さな値となり得る場合であっても、上述した操作量の生成に際して参照されるべき伝送品質は、精度よく安定に与えられる。
【００３１】
請求項２に記載の発明の第一の下位概念の発明では、記憶手段には、無線伝送路の形成にかかわるチャネル制御の形態毎に、幅Ｔｓｌｏｔ、Ｔｄａｔａ１  、伝搬所要時間τｐｄ、処理遅延時間Ｔｄ、オフセット時間Ｔｏｆｆｓｅｔおよびシンボルの幅Ｔｓ  の全てまたは一部の値の組み合わせが予め登録される。伝送品質取得手段は、チャネル制御の形態に対応して記憶手段に登録された値の組み合わせを適用することによって、既定のシンボルの列のＮｍａｘ  番目のシンボルを特定する。
【００３２】
すなわち、このようなＮｍａｘ  番目のシンボルは、上述した組み合わせに含まれる何れの値がチャネル制御の形態に応じて変更され得る場合であっても、これらの値が個々のチャネル制御の形態に適応した既知の情報として与えられる限り、確度高く、かつ効率的に特定される。
したがって、送信電力制御の応答性および精度が高く維持されると共に、上述したチャネル制御と、個々のチャネル制御の形態が適用されるべき要因となるサービスや事象との多様な形態に対する柔軟な適応が可能となる。
【００３３】
請求項２に記載の発明の第二の下位概念の発明では、計測手段２４は、幅Ｔｓｌｏｔ、Ｔｄａｔａ１  、伝搬所要時間τｐｄ、処理遅延時間Ｔｄ、オフセット時間Ｔｏｆｆｓｅｔおよびシンボルの幅Ｔｓ  の全てまたは一部の値を計測する。伝送品質取得手段は、計測手段２４によって計測された値を適用することによって、既定のシンボルの列のＮｍａｘ  番目のシンボルを特定する。
【００３４】
すなわち、このようなＮｍａｘ  番目のシンボルは、上述した全てまたは一部の値の予測が困難な場合であっても、これらの値が所望の精度で計測される限り、確度高く、かつ効率的に特定される。
したがって、送信電力制御の応答性および精度が高く維持されると共に、上述したチャネル制御と、個々のチャネル制御の形態が適用されるべき要因となるサービスや事象とに併せて、既述の無線局の構成および特性と、その無線局との間に形成される無線伝送路の特性との多様な形態に対する柔軟な適応が可能となる。
【００３５】
請求項２に記載の発明の第三の下位概念の発明では、伝搬所要時間τｐｄは、無線局との相対距離の２倍の値と、無線伝送路における無線周波信号の伝搬速度との比である。
すなわち、既定のシンボルの列のＮｍａｘ  番目のシンボルの特定に適用される伝搬所要時間τｐｄは、何らかの航法または測距技術が適用されることによって求められる上述した相対距離の換算値として与えられる。
【００３６】
したがって、このような伝搬所要時間τｐｄを計測する処理がチャネル制御の過程で行われ、あるいはそのチャネル制御に並行して行われることによるチャネル制御の処理の煩雑化が回避され、かつ構成が簡略化されると共に、信頼性が高く維持される。
請求項２に記載の発明の第四の下位概念の発明では、伝搬所要時間τｐｄは、無線伝送路が形成される無線ゾーンの縁端部との相対距離の最大値の２倍の値と、無線伝送路における無線周波信号の伝搬速度との比である。
【００３７】
すなわち、既定のシンボルの列のＮｍａｘ  番目のシンボルの特定に適用される伝搬所要時間τｐｄは、上述した相対距離の最大値がゾーン構成に適合した既知の値として与えられる限り、複雑な算術演算が行われることなく簡便に与えられる。
したがって、このような伝搬所要時間τｐｄを計測する処理がチャネル制御の過程で行われ、あるいはそのチャネル制御に並行して行われることによるチャネル制御の処理の煩雑化が回避され、かつ構成が簡略化されると共に、信頼性が高く維持される。
【００３８】
請求項２に記載の発明の第五の下位概念の発明では、伝搬所要時間τｐｄは、無線伝送路の上りのリンクに形成されたパスの伝搬所要時間の最大値の２倍の値である。
すなわち、既定のシンボルの列のＮｍａｘ  番目のシンボルの特定に適用される伝搬所要時間τｐｄは、上述した無線伝送路がマルチパスとして形成される場合であっても、その無線局との相対距離に精度よく適合した値として与えられる。
【００３９】
したがって、無線局の位置だけではなく、その無線局との間に形成された無線伝送路の特性の変動に対する柔軟な適応が図られ、かつ送信電力制御の精度および応答性が高く維持される。
請求項３に記載の発明の下位概念の発明では、伝送品質取得手段は、チャネル制御の形態に適合した数のシンボルの伝送品質にかかわる積和として、これらのシンボルの伝送品質を求める。
【００４０】
すなわち、Ｎｍａｘ  番目のシンボルと、そのシンボルに先行するシンボルとの伝送品質の加重平均として伝送品質を与えるシンボル毎の伝送品質の数は、チャネル制御の形態に応じて設定され、かつ適宜更新され得る。
したがって、このような数がチャネル制御の形態の如何にかかわらず一定である場合に比べて、チャネル配置、ゾーン構成、周波数配置および実現されるべきサービスの多様な形態に対する柔軟な適応が可能となる。
【００４１】
請求項３に記載の発明に関連した発明では、伝送品質取得手段は、チャネル制御の形態に適合した数列を重みの列として適用する。
すなわち、Ｎｍａｘ  番目のシンボルと、そのシンボルに先行するシンボルとの伝送品質の加重平均として伝送品質を与える重みの列は、チャネル制御の形態に応じて設定され、かつ適宜更新され得る。
【００４２】
したがって、このような重みの列がチャネル制御の形態の如何にかかわらずが一定である場合に比べて、チャネル配置、ゾーン構成、周波数配置および実現されるべきサービスの多様な形態に対する柔軟な適応が可能となる。
【００４３】
【発明の実施の形態】
以下、図面に基づいて本発明の実施形態について詳細に説明する。
図１は、本発明の第一ないし第三および第五の実施形態を示す図である。
本実施形態には、下記の要素が備えられる。
・  上限シンボル数算出部１１
・  その上限シンボル数算出部１１の出力に接続された制御入力を有し、かつ図７に示す受信品質測定部４５に代わる受信品質測定部１２
また、受信品質測定部１２は、下記の要素から構成される。
【００４４】
・  同期検波部４３の出力に接続されたパイロット除去部１３
・  そのパイロット除去部１３の出力に縦続接続された第一の入力を有する受信電力・干渉電力測定部１４
・  受信電力・干渉電力測定部１４が有する２つの出力にそれぞれ接続された２つの入力を有し、かつ受信品質測定部１２の最終段に配置された除算部１５
・  「受信電力・干渉電力測定部１４の対応する入力と共に、上限シンボル数算出部１１の出力に接続された第一の入力」と、『その受信電力・干渉電力測定部１４の対応する入力と共に後述する「測定シンボル数Ｌ」が入力された第二の入力』とに併せて、『「パイロット除去部１３およびこの受信電力・干渉電力測定部１４の読み出しアドレス入力」にそれそれ接続された２つの出力』を有する読み出し制御部１６
図２は、本発明の第一の実施形態の動作タイムチャート（１）である。
【００４５】
図３は、本発明の第一の実施形態の動作タイムチャート（２）である。
図４は、本発明の第一の実施形態の動作を説明する図である。
以下、図１〜図４を参照して本発明の第一の実施形態の動作を説明する。
本実施形態の特徴は、上限シンボル数算出部１１および受信品質測定部１２によって行われる下記の処理の手順にある。
【００４６】
上限シンボル数算出部１１は、チャネル制御の下で個々の物理チャネルに適用されている変復調方式と、これらの物理チャネルを介して伝送されるべきスロットやフレームの形式とに適合した既知の値として、下記の事項を識別する。
・  下りＤＰＣＣＨを介して端末宛に送信されるべきスロット（以下、単に「下りスロット」という。）の長さＴｓｌｏｔ（図２（１）、図３（１））
・  その「下りスロット」先頭からこの「下りスロット」に既述の「送信ＴＰＣコマンド」が配置されるべき時点に至る期間（該当する「下りスロット」において「送信ＴＰＣコマンド」に先行して配置された情報フィールドｄａｔａ１）の長さＴｄａｔａｌ（図２（２）、図３（２））
・  この「下りスロット」の先頭が端末に到来した時点から、その時点より遅れて上りスロットに配置されたパイロット信号が上りＤＰＣＣＨに送信されるべき時点に至る期間（ここでは、簡単のため、その「下りスロット」または既述の「上りスロット」の長さの半分に相当すると仮定する。）の長さＴｏｆｆｓｅｔ（図２（３）、図３（３））
・  上りＤＰＣＣＨに適用された変調方式に適合するシンボル周期Ｔｓ  （図２（４）、図３（４））
・  「自局によって形成され、かつ端末が在圏する無線ゾーン」の半径の公称値Ｒと、「その無線ゾーンにおける上りの無線伝送路（あるいは下りの無線伝送路）における無線周波信号の伝搬速度Ｃ」とに対して、下式（１）  で示される伝搬所要時間Ｔｐｄ（図２（５）、（６））
Ｔｐｄ＝Ｒ／Ｃ  ・・・（１）
・  端末に対して提供されるべきサービス（そのサービスを実現するチャネル制御を含む。）の形態と、受信品質測定部１２およびコマンド生成部４６の構成とに対応する値として一義的に定まり、かつ「上りスロット」にパイロット信号として含まれるシンボルの内、伝送品質の評価の対象となる末尾のシンボル（後述する上限シンボル番号Ｎｍａｘで示される。）をその受信品質測定部１２が取得した（図２（７）、図３（７））後に、コマンド生成部４６によって「送信ＴＰＣコマンド」が生成されるために所要する処理遅延Ｔｄ  （図２（８）、図３（８））
さらに、上限シンボル数算出部１１は、図２に示される時間軸上の関係の下でこれらの各値について導出された下記の不等式（２）  が成立する整数として、下式（３）  で示される上限シンボル番号Ｎｍａｘ  （以下では、簡単のため「４」であると仮定する。）を算出する。
【００４７】
2004336295.tif 000003
受信品質測定部１２では、パイロット除去部１３は、同期検波部４３によって出力された検波信号の成分の内、上りＤＰＣＣＨを介して受信された信号（パイロット信号を含む。）とのスロット単位の同期を維持し、その信号として与えられるシンボルの列に「受信されるべき既知のパイロット信号」をベースバンド領域およびディジタル領域で乗じる（すなわち、逆変調する）ことによって、受信されたパイロット信号の区間に含まれるパイロット信号の成分を含まない成分（以下、その成分に含まれる個々のシンボルを「パイロット除去シンボル」という。）を抽出し、かつ内蔵されたメモリの記憶領域にこれらの「パイロット除去シンボル」を順次、サイクリックに蓄積する（図４（１））。
【００４８】
読み出し制御部１５は、「上限シンボル数算出部１１によって算出された上限シンボル番号Ｎｍａｘ、」と、『「パイロット信号を示すシンボルの内、伝送特定の評価のために参照されるべきシンボルの数」である測定シンボル数Ｌ（ここでは、簡単のため、「７」であると仮定する。）』とに基づいて、「上記の内蔵されたメモリに与えられるべき読み出しアドレス（ここでは、簡単のため、シーケンシャルにインクリメントされる整数の列として与えられると仮定する。）」と「読み出しイネーブル信号」とを順次生成することによって、そのメモリに蓄積された「パイロット除去シンボル」の読み出しを下記の通りに行う。
【００４９】
・  既述のメモリに蓄積された最新の「パイロット除去シンボル」が上述したＮｍａｘ番目のシンボルに対応する「パイロット除去シンボル」か否かを判別する（図４（２））。
・  その判別の結果が真である場合（図４（３））に限って、そのＮｍａｘ番目のシンボルに対応した「パイロット除去シンボル」と、この「パイロット除去シンボル」に先行してメモリに蓄積された（Ｌ−１）個の「パイロット除去シンボル」とを一括して高速に（ここでは、簡単のため、単位シンボルの周期より短い期間内であると仮定する。）読み出す（図４（４））。
【００５０】
なお、以下では、このようにして読み出された「パイロット除去シンボル」については、上りスロットにシーケンシャルに付与された番号Ｍと、整数Ｋ（１≦Ｋ≦Ｌ）とに対してＣ（Ｍ、Ｋ）と表記する。
受信電力・干渉電力測定部１４は、下記の受信電力Ｓ（Ｍ）および干渉電力Ｉ（Ｍ）を求める。
【００５１】
・  パイロット除去シンボルＣ（Ｍ、Ｋ）と、シンボル単位に与えられ、かつ整数Ｋ（１≦Ｋ≦Ｌ）に対応した総和ΣＷ（Ｋ）が「１」に等しい値として与えられる重みＷ（Ｋ）との積和の二乗値として与えられる受信電力Ｓ（Ｍ）
・  パイロット除去シンボルＣ（Ｍ、Ｋ）の二乗値の加重平均と、上記の受信電力Ｓ（Ｍ）との差分の所定数のシンボルに亘る平均値として与えられる干渉電力Ｉ（Ｍ）
除算部１５は、これらの受信電力Ｓ（Ｍ）と干渉電力Ｉ（Ｍ）との比として、ＳＩＲ（Ｍ）を算出する。
【００５２】
コマンド生成部４６は、そのＳＩＲ（Ｍ）を既述の伝送品質として参照し、このＳＩＲ（Ｍ）と既定の閾値との大小関係に基づいて、従来例と同様に「送信ＴＰＣコマンド」を生成する（図２（ａ）、図３（ａ））。
すなわち、「送信ＴＰＣコマンド」は、受信された上りスロットに含まれるパイロット信号に相当するシンボルの内、その「送信ＴＰＣコマンド」が直近の後続する下りスロットを介して端末宛に確実に送信されることが保証される最大の順位（＝上限シンボル番号Ｎｍａｘ）のシンボル、あるいはそのシンボルおよびこのシンボルに先行して受信された単一または複数（＝Ｌ−１）のシンボルの伝送品質として求められたＳＩＲ（Ｍ）に基づいて更新される。
【００５３】
したがって、本実施形態によれば、下記の何れの状況においても、既述の「下りスロット」の長さＴｓｌｏｔ、長さＴｄａｔａｌ、Ｔｏｆｆｓｅｔ、シンボル周期Ｔｓ  、伝搬所要時間Ｔｐｄおよび処理遅延Ｔｄ  が精度よく既知の値として与えられる限り、端末と無線基地局との連係の下で行われる送信電力制御の応答性および精度が高く維持される。
【００５４】
・  端末との相対距離が広範に増減し得る場合
・  端末との間に形成された無線伝送路の特性が広範に、かつ急激に変動し得る場合
・  端末に提供されるべきサービスの形態に応じて、既述の上りおよび下りのＤＰＤＣＨやＤＰＣＣＨを介して伝送されるスロットのシンボル数とシンボル速度とが変更され、そのために、下りスロットにおける「送信ＴＰＣコマンド」の配置が変更され得る場合
また、本実施形態では、上りスロットの周期で、既述の判別（図４（２））の結果が真となる時点（図４（３））まで、受信電力・干渉電力測定部１４および除算部１５の稼働が保留されるので、消費電力の節減と、熱設計にかかわる余裕度の確保とに併せて、複数の無線チャネルに対するこれらの受信電力・干渉電力測定部１４および除算部１５の時分割による共用が可能となる。
【００５５】
なお、本実施形態では、上限シンボル番号Ｎｍａｘ  は、上式（３）  を満たす整数として適宜算出されている。
しかし、このような上限シンボル番号Ｎｍａｘ  は、例えば、既述の「下りスロット」の長さＴｓｌｏｔ、長さＴｄａｔａｌ、Ｔｏｆｆｓｅｔ、シンボル周期Ｔｓ  、伝搬所要時間Ｔｐｄおよび処理遅延Ｔｄ  の内、値が変更され得るものの組み合わせに対して予め算出され、メモリ等にテーブルとして登録された値が適宜参照されることによって求められてもよい。
【００５６】
また、上述した処理遅延Ｔｄ  については、例えば、ハードウエアやソフトウエアの構成の下で実測され、あるいは理論的に予め求められた値が定数として適用され、あるいは上記のテーブルに登録されてもよい。
さらに、本実施形態では、上式（１）  で示されるように、端末が在圏する無線ゾーンの半径の公称値Ｒに比例した定数として伝搬所要時間Ｔｐｄが与えられることによって、上限シンボル番号Ｎｍａｘの算出の手順が簡略化されている。
【００５７】
しかし、上限シンボル番号Ｎｍａｘがなるべく大きな値に設定されることによって「送信ＴＰＣコマンド」の精度が高められるべき場合には、伝搬所要時間Ｔｐｄは、上述した公称値Ｒに代えて、例えば、『端末と無線基地局との双方もしくは何れか一方に自立航法、無線航法その他の航法や測距技術が適用されることによって求められた両者の間の相対距離（所定の頻度で更新されてもよい。）』が上式（１）  に適用されることによって適宜算出されてもよい。
【００５８】
また、本実施形態では、上述した公称値Ｒは、無線ゾーンの形状が「その無線ゾーンを形成する無線基地局の位置に中心がある円」と見なされることによって与えられている。
しかし、このような公称値Ｒは、例えば、上記の無線ゾーンの形状が地形、地物の分布その他に応じて円形とは大幅に異なる形状となる場合には、無線基地局に対して最も隔たったこのような無線ゾーンの端部との相対距離として与えられてもよい。
【００５９】
さらに、本実施形態では、「送信ＴＰＣコマンド」を含む「下りスロット」には、その「送信ＴＰＣコマンド」以外の何らかの情報ｄａｔａ１が配置されている。
しかし、本発明は、このような構成の「下りスロット」に限定されず、例えば、「送信ＴＰＣコマンド」が「下りスロット」の先頭のフィールドに配置されるために、既述の長さＴｄａｔａｌの値が「０」となる場合であっても、同様に適用可能である。
【００６０】
また、本発明は、既述の「下りスロット」の長さＴｓｌｏｔ、長さＴｄａｔａｌ、Ｔｏｆｆｓｅｔ、シンボル周期Ｔｓ  、伝搬所要時間Ｔｐｄおよび処理遅延Ｔｄ  の値の内、何れが実測され、あるいはチャネル制御その他の処理の手順に基づいて更新される場合であっても、同様に適用可能である。
さらに、本実施形態では、「上りスロット」に配置されたパイロット信号を示すシンボルの内、順位が既述の上限シンボル番号Ｎｍａｘ  を超えるシンボル（以下、「残存シンボル」という。）は、ＳＩＲ（伝送品質）の評価に何ら供されていない。
【００６１】
しかし、このような残存シンボルについては、例えば、受信品質測定部１２の負荷の軽減と消費電力の節減とを目的として、伝送品質の評価の対象から積極的に除外されてもよく、あるいは無線伝送路の伝送特性の変動に対する柔軟な適応と、伝送品質の精度の向上とを目的として、積極的に伝送品質の評価に供され、さらに後続する「上りスロット」に配置されたパイロット信号のシンボル単位の伝送品質に適正な重みとの積和として加味されてもよい。
【００６２】
以下、本発明の第二の実施形態について説明する。
本実施形態の特徴は、伝搬所要時間Ｔｐｄが下記の通りに求められる点にある。
以下、図１を参照して本実施形態の動作を説明する。
上限シンボル数算出部１１は、無線伝送路の上りのリンクに形成されたマルチパスの内、例えば、『「ＲＡＫＥ合成の対象となるべき主要なパス」の選定の基準を与える遅延プロファイル』上で最も遅れて形成されたパスの伝搬所要時間を取得し、その伝搬所要時間を上記の伝搬所要時間Ｔｐｄとして上式（１）  に適用することによって、上限シンボル番号Ｎｍａｘを求める。
【００６３】
したがって、端末の位置が一定あるにもかかわらず、その端末との間に形成された無線伝送路の伝送特性が広範に、あるいは急激に変動し得る状態であっても、上限シンボル番号Ｎｍａｘ  は、適正な値に確度高く維持される。
図５は、本発明の第三の実施形態に適用されるウエイトを示す図である。
以下、図１および図５を参照して本発明の第三の実施形態の動作を説明する。
【００６４】
本実施形態の特徴は、受信品質測定部１２において、読み出し制御部１５と受信電力・干渉電力測定部１４との連係の下で受信電力Ｓ（Ｍ）と干渉電力Ｉ（Ｍ）とが求められる下記の処理の手順にある。
読み出し制御部１５は、「上限シンボル数算出部１１によって算出された上限シンボル番号Ｎｍａｘ」と既述の測定シンボル数Ｌとに基づいて、上りスロット毎に、「パイロット除去部１３に内蔵されたメモリ」に与えられるべき読み出しアドレスと読み出しイネーブル信号とを順次生成することによって、そのメモリに蓄積された「パイロット除去シンボル」の読み出しを下記の通りに行う。
【００６５】
・  既述のメモリに蓄積された最新の「パイロット除去シンボル」が上述したＮｍａｘ番目のシンボルに対応する「パイロット除去シンボル」か否かを判別する。
・  その判別の結果が真である場合に限って、そのＮｍａｘ番目のシンボルに対応した「パイロット除去シンボル」と、この「パイロット除去シンボル」に先行してメモリに蓄積された（Ｌ−１）（＞Ｎｍａｘ−１）個の「パイロット除去シンボル」とを一括して高速に（ここでは、簡単のため、単位シンボルの周期より短い期間内であると仮定する。）読み出す。
【００６６】
なお、以下では、このようにして読み出された「パイロット除去シンボル」については、上りスロットにシーケンシャルに付与された番号Ｍと、整数ｋ（≦Ｌ）とに対してＣ（Ｍ、ｋ）と表記する。
受信電力・干渉電力測定部１４は、シンボル単位に与えられ、かつ整数ｋに対応した総和ΣＷ（ｋ）が「１」に等しい値として与えられると共に、下記の条件の全てまたは一部が成立する重みＷ（ｋ）を取得する。
【００６７】
・  図５（ａ）  に示すように、端末に提供されるべきサービスの形態（その端末との間における無線伝送路の形成を実現するチャネル制御の形態であってもよい。）に適合した数列として与えられる。
・  図５（ｂ）  に示すように、上りＤＰＣＣＨのフェージング周波数が高いほど、時系列の昇順に対する変化率が大きく、要素の数が少ない数値からなる数列として与えられる。
【００６８】
・  上述した判別の結果が真であることが識別されたスロット（以下、「現スロット」という。）に先行するスロット（以下、「先行スロット」という。）に含まれる「パイロット除去シンボル」に対応した重みＷ（ｋ）（ｋ＜１）に比べて、その「現スロット」に含まれる「パイロット除去シンボル」に対応した重みＷ（ｋ）（１≦ｋ≦Ｌ）が大きい。
【００６９】
・  上述した重みＷ（ｋ）（ｋ＜１）、Ｗ（ｋ）（１≦ｋ≦Ｌ）の双方または何れか一方が時系列に対して単調に増加する。
受信電力・干渉電力測定部１４は、このような重みＷ（ｋ）を適用し、かつ下記の手順に基づいて受信電力Ｓ（Ｍ）および干渉電力Ｉ（Ｍ）を求める。
・  重みＷ（ｋ）と、パイロット除去シンボルＣ（Ｍ、ｋ）との積和の二乗値として与えられる受信電力Ｓ（Ｍ）
・  パイロット除去シンボルＣ（Ｍ、ｋ）の二乗値の加重平均と、上記の受信電力Ｓ（Ｍ）との差分の所定数のシンボルに亘る平均値として与えられる干渉電力Ｉ（Ｍ）
すなわち、これらの受信電力Ｓ（Ｍ）と干渉電力Ｉ（Ｍ）との比として求められるＳＩＲ（Ｍ）は、単一または複数の「先行スロット」に配置されたパイロット信号の伝送品質が古いほど小さく重み付けられてなる積和として求められる。
【００７０】
したがって、本実施形態によれば、上限シンボル番号Ｎｍａｘ  以下の数のパイロット除去シンボルに基づいて求められたＳＩＲ（Ｍ）の精度が十分には高くなく、またはその精度が高く維持されない程度に、上述した「下りスロット」の長さＴｓｌｏｔや長さＴｄａｔａｌが短く、もしくは既述の長さＴｏｆｆｓｅｔ、シンボル周期Ｔｓ  、伝搬所要時間Ｔｐｄ、処理遅延Ｔｄの全てまたは一部が長くなる（なり得る）と共に、無線伝送路の伝送特性が急激に変動し得る場合であっても、送信電力制御の応答性が高く維持される。
【００７１】
図６は、本発明の第四の実施形態を示す図である。
本実施形態には、同期検波部４３のモニタ端子に直列に接続され、かつ出力が受信電力・干渉電力測定部１４の対応する制御入力に接続された伝送特性評価部２１が備えられる。
以下、図６を参照して本実施形態の動作を説明する。
【００７２】
本実施形態の特徴は、受信電力・干渉電力測定部１４が伝送品質評価部２１と連係することによって、下記の重みＷ（ｋ）を取得する点にある。
伝送品質評価部２１は、端末との間にマルチパスとして形成された複数のパスについて、同期検波部４３によって個別に求められた「上りのリンク」のチャネル推定値を監視することによって、「これらのパス毎に、そのチャネル推定値が単位時間当たりに変動する回数の平均値」としてフェージング周波数を求める。
【００７３】
受信電力・干渉電力測定部１４は、同様にパス毎に、『求められたフェージング周波数が大きいほど、「時系列（あるいはｋ）に対する変化率」が大きく、かつ個数が少ない数』から構成される数列の要素として重みＷ１（ｋ）〜Ｗｐ（ｋ）を求める。
なお、以下では、これらの重みＷ１（ｋ）〜Ｗｐ（ｋ）については、簡単のため、上記の数列の要素に該当し、かつパス毎に求められる点を除いて、既述の第三の実施形態において求められる重みＷ（ｋ）と基本的に同じであると仮定する。
【００７４】
受信電力・干渉電力測定部１４および除算部１５は、パス毎に、上述したフェージング周波数が高いほど、少ない数のパイロット除去シンボルに「時系列の降順に大幅に小さく設定された重み」に基づく重み付けを施すことによって、ＳＩＲ１（Ｍ）〜ＳＩＲｐ（Ｍ）を求め、これらのＳＩＲ１（Ｍ）〜ＳＩＲｐ（Ｍ）の（加重）平均として既述のＳＩＲ（Ｍ）を求める。
【００７５】
したがって、本実施形態によれば、無線伝送路の伝送特性が定常と見なされ得る期間の長さが多様に変化し、その無線伝送路がマルチパスとして形成される場合であっても、このような無線伝送路の特性に柔軟に精度よく適合したＳＩＲ（Ｍ）が安定に求められ、このＳＩＲ（Ｍ）に基づいて「上りＴＰＣコマンド」の値が適正に維持される。
【００７６】
以下、図１を参照して本発明の第五の実施形態の動作を説明する。
本実施形態では、図１に点線で示すように、上限シンボル数算出部１１の出力がコマンド生成部４６の制御入力に接続される。
本実施形態の特徴は、コマンド生成部４６、フレーム生成部４８および受信品質測定部１２によって行われる下記の処理の手順にある。
【００７７】
コマンド生成部４６は、既述の「送信ＴＰＣコマンド」の生成に併せて、下記の処理を行う。
・  上限値シンボル数算出部１１によって求められた上限シンボル番号Ｎｍａｘ  を監視する。
・  その上限シンボル番号Ｎｍａｘ  が小さいほど大きな値をとる２値または多値の「副ＴＰＣコマンド」を生成する。
【００７８】
フレーム生成部４８は、既述の「送信ＴＰＣコマンド」が配置されるべき「下りスロット」のフィールドの内、例えば、スペアフィールドのように、活用が許容されるフィールド（以下、「特定のフィールド」という。）に、この「副ＴＰＣコマンド」を挿入する。
一方、これらの「送信ＴＰＣコマンド」と「副ＴＰＣコマンド」とが挿入された「下りスロット」を受信した端末は、「その「送信ＴＰＣコマンド」に適合した値」に、「後続して送信される「上りスロット」の送信電力の標準値を設定する。
【００７９】
しかし、「上りスロット」に含まれるパイロット信号のフィールドの送信電力については、端末は、既述の上限シンボル番号Ｎｍａｘ  が小さいほど、またはその上限シンボル番号Ｎｍａｘ  が既定の下限値を下回った場合に限って、上述した「副ＴＰＣコマンド」、もしくはその「副ＴＰＣコマンド」と既述の「送信ＴＰＣコマンド」の組み合わせに応じて、この「上りスロット」の送信電力の標準値より大きめの値に設定される。
【００８０】
また、無線基地局では、受信品質測定部１２は、下記の処理を行う。
・  既述の上限シンボル番号Ｎｍａｘ  が更新された時点を自立的に識別する。
・  この時点に対する既知の遅延時間に基づいて、その上限シンボル番号Ｎｍａｘ  に適応した「副ＴＰＣコマンド」に応じてパイロット信号のフィールドの送信電力が更新された「上りスロット」を特定する。
【００８１】
・  上限シンボル番号Ｎｍａｘ  の先行する値と更新された値との組み合わせに対して一義的に定まり、かつ上記の「副ＴＰＣコマンド」に応じて「上りスロット」のパイロット信号のフィールドの送信電力が増加し、あるいは減少する相対値を求める。
さらに、受信品質測定部１２に備えられた送信電力・干渉電力測定部１４は、受信電力Ｓ（Ｍ）を求める処理については、このようにして特定された「上りスロット」に含まれるパイロット信号から求められたパイロット除去シンボルに上述した相対値を減じる補正を施した後に、既述の手順に基づいて行う。
【００８２】
すなわち、上限シンボル番号Ｎｍａｘ  が小さな値となった状態では、「送信ＴＰＣコマンド」（その上限シンボル番号Ｎｍａｘ  に基づいて生成される。）に対する応答として端末から送信された「上りスロット」に含まれるパイロット信号の送信電力は、既知の値に亘って大きめの値で受信される。
したがって、本実施形態によれば、無線伝送路の伝送特性が広範に、かつ頻繁に変動し、さらに、上限シンボル番号Ｎｍａｘ  が著しく減少し得る場合であっても、「送信ＴＰＣコマンド」の生成の基準となるＳＩＲ（Ｍ）が精度よく安定に与えられる。
【００８３】
なお、上述した各実施形態では、「上りＤＰＣＣＨ」の伝送品質がＳＩＲとして評価され、そのＳＩＲに適合した値として「送信ＴＰＣコマンド」が生成されている。
しかし、このような伝送品質は、上述した「送信ＴＰＣコマンド」の生成に際して参照が可能な値として与えられる限り、ＳＩＲ以外の如何なる値として評価されてもよい。
【００８４】
また、上述した各実施形態では、「上りスロット」と「下りスロット」との長さが共通となっている。
しかし、これらの長さについては、上りと下りのリンクの間における同期とチャネル制御との下で、既述の「下りスロット」の長さＴｓｌｏｔ、長さＴｄａｔａｌ、Ｔｏｆｆｓｅｔ、シンボル周期Ｔｓ  、伝搬所要時間Ｔｐｄおよび処理遅延Ｔｄ  の各値が遅滞なく、かつ精度よく与えられ、上式（２）、（３）  に示される不等式が成立する限り、異なる値であってもよく、かつ双方もしくは何れか一方が変更されてもよい。
【００８５】
さらに、上述した各実施形態では、シンボル周期Ｔｓ  が一定となっている。
しかし、本発明は、例えば、伝送効率の向上、資源の削減、低廉化その他を目的として、端末に提供されるべきサービスの形態や行われるべきチャネル制御の形態に応じて変調方式が変更されることによって、このようなシンボル周期Ｔｓ  が多様な値をとり得る場合であっても、同様に適用可能である。
【００８６】
また、上述した各実施形態では、「上りスロット」や「下りスロット」の構成の詳細が示されていない。
しかし、これらのスロットの構成は、既述の「受信ＴＰＣコマンド」、「送信ＴＰＣコマンド」および「パイロット信号」が配置されるべきフィールドが既知であり、あるいは確実に特定される限り、如何なるものであってもよい。
【００８７】
以下、上述した各実施形態として開示された発明を階層的・多面的に整理し、付記項として列記する。
（付記１）  無線伝送路を介して到来し、かつ既定のシンボルの列を含む上りのスロットの列を受信し、これらのシンボルの列の伝送品質を求める伝送品質取得手段と、
前記上りのスロットに後続する下りのスロットの先頭に配置されて前記無線伝送路の下りのリンクを介して無線局宛に送信されると共に、その無線局によってこの上りのスロットに後続する上りのスロットが送信されるべき送信電力を示し、かつ前記伝送品質の偏差が軽減される操作量を生成する操作量生成手段とを備え、
前記伝送品質取得手段は、
前記下りのスロットの幅Ｔｓｌｏｔ  と、前記無線伝送路の往復の伝搬所要時間τｐｄと、前記操作量生成手段が前記伝送品質に応じて前記操作量を生成するために要する処理遅延時間Ｔｄ  と、前記既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、前記既定のシンボルの列に含まれるＮｍａｘ（≦（Ｔｓｌｏｔ−τｐｄ−Ｔｄ−Ｔｏｆｆｓｅｔ）／Ｔｓ）番目のシンボル、またはそのシンボル以前に受信された複数のシンボルに基づいてその伝送品質を求める
ことを特徴とする送信電力制御装置。
【００８８】
（付記２）  無線伝送路を介して到来し、かつ既定のシンボルの列を含む上りのスロットの列を受信し、これらのシンボルの列の伝送品質を求める伝送品質取得手段と、
前記上りのスロットに後続する下りのスロットに配置されて前記無線伝送路の下りのリンクを介して無線局宛に送信されると共に、その無線局によってこの上りのスロットに後続する上りのスロットが送信されるべき送信電力を示し、かつ前記伝送品質の偏差が軽減される操作量を生成する操作量生成手段とを備え、
前記伝送品質取得手段は、
前記下りのスロットの幅Ｔｓｌｏｔ  と、その下りのスロットに前記操作量に先行して配置されたフィールドの幅Ｔｄａｔａ１  と、前記無線伝送路の往復の伝搬所要時間τｐｄと、前記操作量生成手段が前記伝送品質に応じて前記操作量を生成するために要する処理遅延時間Ｔｄ  と、前記既定のシンボルの列がそのシンボルの列に先行する下りのスロットの先頭に遅れて到来するオフセット時間Ｔｏｆｆｓｅｔと、このシンボルの列に含まれる個々のシンボルの幅Ｔｓ  とに対して、上りのスロット毎に、前記既定のシンボルの列に含まれるＮｍａｘ  （≦（Ｔｓｌｏｔ＋Ｔｄａｔａ１−τｐｄ−Ｔｄ−Ｔｏｆｆｓｅｔ）／Ｔｓ）  番目のシンボル、またはそのシンボル以前に受信された複数のシンボルに基づいてその伝送品質を求める
ことを特徴とする送信電力制御装置。
【００８９】
（付記３）  付記２に記載の送信電力制御装置において、
前記無線伝送路の形成にかかわるチャネル制御の形態毎に、前記幅Ｔｓｌｏｔ、Ｔｄａｔａ１  、前記伝搬所要時間τｐｄ、前記処理遅延時間Ｔｄ、前記オフセット時間Ｔｏｆｆｓｅｔおよび前記シンボルの幅Ｔｓ  の全てまたは一部の値の組み合わせが予め登録された記憶手段を備え、
前記伝送品質取得手段は、
前記チャネル制御の形態に対応して前記記憶手段に登録された値の組み合わせを適用することによって、前記既定のシンボルの列のＮｍａｘ  番目のシンボルを特定する
ことを特徴とする送信電力制御装置。
【００９０】
（付記４）  付記２に記載の送信電力制御装置において、
前記幅Ｔｓｌｏｔ、Ｔｄａｔａ１  、前記伝搬所要時間τｐｄ、前記処理遅延時間Ｔｄ、前記オフセット時間Ｔｏｆｆｓｅｔおよび前記シンボルの幅Ｔｓ  の全てまたは一部の値を計測する計測手段２４を備え、
前記伝送品質取得手段は、
前記計測手段２４によって計測された値を適用することによって、前記既定のシンボルの列のＮｍａｘ  番目のシンボルを特定する
ことを特徴とする送信電力制御装置。
【００９１】
（付記５）  付記２に記載の送信電力制御装置において、
前記伝搬所要時間τｐｄは、
前記無線局との相対距離の２倍の値と、前記無線伝送路における無線周波信号の伝搬速度との比である
ことを特徴とする送信電力制御装置。
【００９２】
（付記６）  付記２に記載の送信電力制御装置において、
前記伝搬所要時間τｐｄは、
前記無線伝送路が形成される無線ゾーンの縁端部との相対距離の最大値の２倍の値と、前記無線伝送路における無線周波信号の伝搬速度との比である
ことを特徴とする送信電力制御装置。
【００９３】
（付記７）  付記２に記載の送信電力制御装置において、
前記伝搬所要時間τｐｄは、
前記無線伝送路の上りのリンクに形成されたパスの伝搬所要時間の最大値の２倍の値である
ことを特徴とする送信電力制御装置。
【００９４】
（付記８）  付記２に記載の送信電力制御装置において、
前記伝送品質取得手段は、
前記Ｎｍａｘ  番目のシンボルと、そのシンボルに先行する単一または複数のシンボルとの個々の伝送品質と、時系列の降順に小さく設定された重みの列との積和として、これらのシンボルの伝送品質を求める
ことを特徴とする送信電力制御装置。
【００９５】
（付記９）  付記８に記載の送信電力制御装置において、
前記伝送品質取得手段は、
チャネル制御の形態に適合した数のシンボルの伝送品質にかかわる積和として、これらのシンボルの伝送品質を求める
ことを特徴とする送信電力制御装置。
【００９６】
（付記１０）  付記８または付記９に記載の送信電力制御装置において、
前記伝送品質取得手段は、
チャネル制御の形態に適合した数列を前記重みの列として適用する
ことを特徴とする送信電力制御装置。
（付記１１）  付記２に記載の送信電力制御装置において、
前記伝送品質取得手段は、
前記無線伝送路にマルチパスとして並行して形成されたパス毎に、前記Ｎｍａｘ  番目のシンボルまたは、またはそのシンボル以前に受信されたシンボルの伝送品質の平均値としてこれらのシンボルの伝送品質を求める
ことを特徴とする送信電力制御装置。
【００９７】
（付記１２）  付記２ないし付記１１の何れか１項に記載の送信電力制御装置において、
前記後続する下りのスロットに配置されて前記無線伝送路の下りのリンクを介して前記無線局宛に送信され、かつ前記Ｎｍａｘ  が小さいほど大きく、この無線局によって前記上りのスロットに後続する上りのスロットに含まれる既定のシンボルの列が送信されるべき送信電力を示す副操作量を生成する副操作量生成手段を備え、
前記伝送品質取得手段は、
前記無線伝送路を介して到来した上りのスロットに含まれ、かつ前記副操作量に基づいて送信電力が設定された既定のシンボルの列について、その副操作量に応じて生じた誤差の補正を前記求められた伝送品質に施し、その結果を前記操作量生成手段に引き渡す
ことを特徴とする送信電力制御装置。
【００９８】
【発明の効果】
上述したように請求項１および請求項２に記載の発明では、無線局との相対距離と、その無線局との間に形成された無線伝送路の特性との双方もしくは何れか一方が広範に変化し、またはこの無線局に提供されるべきサービスの形態に応じて上りのスロットや下りのスロットの構成と、これらのスロットの伝送に適用される変調方式との何れが変更され得る場合であっても、送信電力制御の応答性および精度が高く維持される。
【００９９】
また、請求項３に記載の発明では、下りのスロットと上りのスロットとの多様な構成に対する柔軟な適応が可能となる。
さらに、請求項４に記載の発明では、無線伝送路の実体的な特性およびその特性の変動に対する柔軟な適応の下で、送信電力制御の精度および応答性が高く維持される。
【０１００】
また、請求項５に記載の発明では、無線伝送路の特性が広範に、かつ頻繁に変動し、あるいはＮｍａｘ  が著しく小さな値となり得る場合であっても、既述の操作量の生成に際して参照されるべき伝送品質は、精度よく安定に与えられる。
さらに、請求項２に記載の発明の第一の下位概念の発明では、送信電力制御の応答性および精度が高く維持されると共に、チャネル制御と、個々のチャネル制御の形態が適用されるべき要因となるサービスや事象との多様な形態に対する柔軟な適応が可能となる。
【０１０１】
また、請求項２に記載の発明の第二の下位概念の発明では、送信電力制御の応答性および精度が高く維持されると共に、上述したチャネル制御と、個々のチャネル制御の形態が適用されるべき要因となるサービスや事象とに併せて、既述の無線局の構成および特性と、その無線局との間に形成される無線伝送路の特性との多様な形態に対する柔軟な適応が可能となる。
【０１０２】
さらに、請求項２に記載の発明の第三および第四の下位概念の発明では、伝搬所要時間τｐｄを計測する処理がチャネル制御の過程で行われ、あるいはそのチャネル制御の処理に並行して行われることによる構成の煩雑化が回避され、かつ信頼性が高く維持される。
また、請求項２に記載の発明の第五の下位概念の発明では、無線局の位置だけではなく、その無線局との間に形成された無線伝送路の特性の変動に対する柔軟な適応が図られ、かつ送信電力制御の精度および応答性が高く維持される。
【０１０３】
さらに、請求項３に記載の発明の下位概念の発明では、Ｎｍａｘ  番目のシンボルと、そのシンボルに先行するシンボルとの伝送品質の加重平均として伝送品質を与えるシンボル毎の伝送品質の数がチャネル制御の形態の如何にかかわらず一定である場合に比べて、チャネル配置、ゾーン構成、周波数配置および実現されるべきサービスの多様な形態に対する柔軟な適応が可能となる。
【０１０４】
また、請求項３に記載の発明に関連した発明では、Ｎｍａｘ  番目のシンボルと、そのシンボルに先行するシンボルとの伝送品質の加重平均として伝送品質を与える重みの列がチャネル制御の形態の如何にかかわらず一定である場合に比べて、チャネル配置、ゾーン構成、周波数配置および実現されるべきサービスの多様な形態に対する柔軟な適応が可能となる。
【０１０５】
したがって、これらの発明が適用された無線伝送系では、その無線伝送系の構成や無線伝送路の特性に柔軟に適応して送信電力制御が安定に行われ、この送信電力の下で伝送品質に併せて、サービス品質が高く維持される。
【図面の簡単な説明】
【図１】本発明の第一ないし第三および第五の実施形態を示す図である。
【図２】本発明の第一の実施形態の動作タイムチャート（１）である。
【図３】本発明の第一の実施形態の動作タイムチャート（２）である。
【図４】本発明の第一の実施形態の動作を説明する図である。
【図５】本発明の第三の実施形態に適用されるウエイトを示す図である。
【図６】本発明の第四の実施形態を示す図である。
【図７】端末と連係して送信電力制御を行う無線基地局の構成例を示す図である。
【図８】従来例の動作タイムチャート（１）である。
【図９】従来例の動作タイムチャート（２）である。
【符号の説明】
１１  上限シンボル数算出部
１２  受信品質測定部
１３  パイロット除去部
１４  受信電力・干渉電力測定部
１５  除算部
２１  伝送特性評価部
３１Ｒ，３１Ｔ  アンテナ
３２  受信部
３３  送信部
４１  受信処理部
４２  逆拡散部
４３  同期検波部
４４  復号化部
４５  受信品質測定部
４６  コマンド生成部
４７  符号化部
４８  フレーム生成部
４９  拡散部
５０  送信処理部
【図１】
2004336295.tif 000004
【図２】
2004336295.tif 000005
【図３】
2004336295.tif 000006
【図４】
2004336295.tif 000007
【図５】
2004336295.tif 000008
【図６】
2004336295.tif 000009
【図７】
2004336295.tif 000010
【図８】
2004336295.tif 000011
【図９】
2004336295.tif 000012